(57)【要約】  【課題】  マルチドライブにおいて、グルーブピッチが狭く、また浅溝のディスクではプッシュプル信号のＳＮ比が低くなり、オフセットの影響が大きくなる。この状態では、未記録領域および記録領域の境界部においてプッシュプル信号のオフセットが大きくずれ、境界部においてトラック外れが発生することがある。  【解決手段】  再生においては、データ読み取りに支障のない範囲でデフォーカスさせプッシュプル信号の対称性を確保することにより、記録領域と未記録領域の境界部において発生するプッシュプル信号のオフセットを改善し、記録領域と未記録領域を含む領域のアクセスが発生しても、トラック外れによるレンズ暴走などの重大なエラーを回避することができ、記録においてはプッシュプル信号の対称性のずれ方向を予測し、トラッキングエラーに対するオフセットを印加する。【選択図】  図１
2006331521.tif 000002
【特許請求の範囲】
【請求項１】
光ディスク上に形成されたランドまたはグルーブに光学ピックアップにより光スポットを照射することにより、上記ランドまたは上記グルーブに情報を記録し、または情報を再生するための光学ピックアップと、上記光スポットの光ディスクからの反射光による分割受光部の差信号から上記光スポットと情報記録面とのズレを示すフォーカスエラー信号を生成するフォーカスエラー信号生成手段と、記録領域と未記録領域の境界部においてプッシュプル信号のオフセットが所定範囲以内となるフォーカスオフセットを上記フォーカスエラー信号から除去するようにして、フォーカスサーボを行うことにより、上記光学ピックアップを駆動させるようにしたことを特徴とする光学式情報記録再生装置。
【請求項２】
再生中のみ記録領域と未記録領域の境界部において発生するプッシュプル信号のオフセットが所定範囲以内となるようなフォーカスオフセット印加することを特徴とする請求項１記載の光学式情報記録再生装置。
【請求項３】
上記光スポットの光ディスクからの反射光による分割受光部の差信号から上記光スポットとトラックとのズレを示すプッシュプルエラー信号を生成するプッシュプルエラー信号生成手段と、少なくともひとつのフォーカス位置にて、記録領域と未記録領域の境界部において発生するプッシュプル信号のオフセット量を測定するＴＥ対称性検出手段と、少なくとも２つのフォーカス点における上記ＴＥ対称性検出手段の出力結果に基づき、ＴＥ対称性が所定範囲以内となるようなフォーカスオフセットを生成するフォーカスオフセット生成手段と、を有することを特徴とする請求項１記載の光学式情報記録再生装置。
【請求項４】
ＴＥの対称性が０となるデフォーカス点を予めドライブ内の不揮発性メモリに格納しておき、この情報を利用してＴＥオフセットを生成することを特徴とする請求項３記載の光学式情報記録再生装置。
【請求項５】
フォーカスオフセットの上限が設定されていることを特徴とする請求項１記載の光学式情報記録再生装置。
【請求項６】
フォーカスを変化させながらジッタを測定していき、限界デフォーカス条件を測定する再生限界デフォーカス量検出手段を有し、再生限界デフォーカス量をフォーカスオフセットの上限値とすることを特徴とする請求項５記載の光学式情報記録再生装置。
【請求項７】
フォーカスオフセットの上限を超えるデフォーカス量が検出された場合には、その残差分をプッシュプル信号から減算して、上記ランドまたはグルーブのいずれか一方の位置に、トラッキングサーボを行うことにより、上記光学ピックアップを駆動させるようにしたことを特徴とする請求項５記載の光学式情報記録再生装置。
【請求項８】
光ディスク上に形成されたランドまたはグルーブに光学ピックアップにより光スポットを照射することにより、上記ランドまたは上記グルーブに情報を記録し、または情報を再生するための光学ピックアップと、上記光スポットの光ディスクからの反射光による分割受光部の差信号から上記光スポットとトラックとのズレを示すプッシュプルエラー信号を生成するプッシュプルエラー信号生成手段と、記録領域と未記録領域の境界部においてプッシュプル信号のオフセットが所定範囲以内となるオフセットを上記プッシュプルエラー信号から除去するようにして、上記ランドまたはグルーブのいずれか一方の位置に、トラッキングサーボを行うことにより、上記光学ピックアップを駆動させるようにしたことを特徴とする光学式情報記録再生装置。
【請求項９】
記録中のみ記録領域と未記録領域の境界部において発生するプッシュプル信号のオフセットが所定範囲以内となるようにプッシュプル信号にオフセットを印加することを特徴とする請求項８記載の光学式情報記録再生装置。
【発明の詳細な説明】
【技術分野】
【０００１】
本発明は、情報記録面に同心円状または螺旋状のトラックを有する光ディスクに情報を記録し、また、記録した情報を再生する情報記録再生装置に関するものであり、特にプッシュプル方式によるトラッキングサーボ制御を用いた光学的情報記録再生装置のトラック飛び対策に関する。
【背景技術】
【０００２】
現在の民生用光ディスクとしては、音楽ＣＤ、ＣＤ−ＲＯＭ、ＤＶＤ−ＲＯＭ、ＤＶＤ−Ｖｉｄｅｏに代表される再生専用型と、ＣＤ−Ｒ、ＤＶＤ−Ｒに代表される１回追記型と、ＣＤ−ＲＷ、ＤＶＤ−ＲＡＭ、ＤＶＤ−ＲＷに代表される書き換え可能型との３種類に大別されるが、記録密度や、書換えの可否、用途などの異なる、さまざまな規格が存在している。
【０００３】
これが一般ユーザの混乱を招いている問題が指摘されており、最近ではＤＶＤマルチと称して、これらすべての光ディスクの記録、再生が可能な、光ディスク装置の製品発表もなされている。
【０００４】
これらのＤＶＤ系ディスク及びＣＤ系ディスクのトラッキングエラー信号を検出する最適な方法はそれぞれ異なり、トラック間隔の広いＣＤ系ディスクでは、容易かつ安定に信号を検出できる３ビーム法が有利であり、一方、トラック間隔の狭いＤＶＤ−ＲＯＭ，ＤＶＤ−Ｖｉｄｅｏディスクでは、光源からの出射光の回折方向を調整する必要のない位相差法が有利であることが知られている。
【０００５】
また、書き換え可能なＤＶＤ系ディスクでは、位相差法は用いることができず、連続するグルーブまたはランドを形成する溝を利用して、グルーブ両側の干渉を検出するプッシュプル検出方式と、ビームをグレーティング等で３本に分けてグルーブに１本、ランド部に２本のビームを当てて差を検出するディファレンシャルプッシュプル方式が主に用いられている。
【０００６】
このような光ディスクドライブ装置における光ディスクのトラッキング検出方式のうち、ディファレンシャルプッシュプル方式はビームを３本に分けてグルーブとランドに当てることで互いに逆位相になるプッシュプル信号を生成し、それらの差動を取ることでメディアの傾きやレンズシフトといったオフセットを低減することができるというメリットがある反面、ＤＶＤ−ＲＡＭのようにランドとグルーブの両方に記録される規格のディスクに対しては、レーザービームのパワーが大きい記録モードにおいて、記録すべきトラックに隣接するトラックにもサブビームが照射されて、記録済みのデータが消去若しくは破壊されてしまう恐れがある。
【０００７】
一方、プッシュプル方式は、ビームを分ける必要がなくレーザー光を無駄なく使えるために記録式の光ディスク装置に広く用いられているが、反面、メディアの傾きやレンズのシフトによってオフセットが生じてしまい、記録されたピットがグルーブの中心からずれてしまうといった傾向があるため、オフセットの自動補正を行う必要がある。
【０００８】
又、ＤＶＤ−Ｒ／ＲＷに対して、プッシュプル方式を採用した場合には、ディスクに形成されている溝の構造上の特性もあってプッシュプル信号が小さいために、Ｓ／Ｎ比が悪くメディアチルトやレンズシフトの影響を受け易いという問題を持っているが、ＤＶＤマルチドライブにおいては、上記全種類のディスクのトラッキングを行なうために、異方性光学結晶や液晶などの複屈折性材料により形成した偏光性回折格子を対物レンズに一体に駆動する方法を用いることにより、レンズシフトによるオフセットを軽減し、システム全体のマージン配分設計によりカバーするという方法がとられている。
【０００９】
この問題に対して、特開２００４−５８５９号公報では、ホログラム素子を用いることによりグルーブピッチの狭いＤＶＤ−Ｒ／ＲＷなどのディスクに対しても、ＳＮ比を確保するという方法が示されている。
【００１０】
また、特開平１１−３３９２８６号公報のように、光スポットの光ディスクからの反射光による分割受光部の差信号からプッシュプルエラー信号ＰＰを生成するプッシュプルエラー信号生成手段と、プッシュプルエラー信号のピーク値をホールドするピークホールド回路と、プッシュプルエラー信号のボトム値をホールドするボトムホールド回路と、ピーク値とボトム値の平均値を演算する演算回路とを備え、平均値に基づくオフセット値をプッシュプルエラー信号から除去するようにして、トラッキングサーボを行うことにより、光スポットのバランス調整を行うという方法も示されている。
【００１１】
図２に従来の光ディスク記録再生装置の一例のブロック図を示す。図２において、光ディスク１０は、光ディスクであり、予めグルーブが形成されている。この光ディスク１０は、スピンドルモータ１１により駆動されるが、図示しないスピンドルサーボ系により、回転速度一定（ＣＡＶ）または線速度一定（ＣＬＶ）の状態で、回転制御される。
【００１２】
光ピックアップ１２は、対物レンズのほか、レーザ光源、反射光を受光するフォトディテクタなどの光学系を有し、レーザ光源から光ディスク１０に光ビームを照射し、その反射光を対物レンズを介してフォトディテクタで受光する。
光ピックアップ１２は、また、図示しないが、対物レンズを、光ディスク１０の半径方向に移動制御（トラッキング制御用）すると共に、光ディスク１０に対して上下方向に移動制御（フォーカス制御用）するようにする２次元アクチュエータを備える。この場合のトラッキング制御方式としては、前述したように、いわゆる１スポットプッシュプル法が用いられる。
【００１３】
そして、この例では、光ピックアップ１２は、トラバースモータ１３により、全体として光ディスク１０の半径方向に移動可能となっている。このトラバースモータ１３による光ピックアップ１２の位置制御により、シーク動作等が行なわれる。
【００１４】
光ピックアップ１２のフォトディテクタは、この例の場合には、図３に示すように、４分割ディテクタの構成とされており、４個の受光部Ａ，Ｂ，Ｃ，Ｄからの受光出力ＳＡ，ＳＢ，ＳＣ，ＳＤは、ＲＦ回路１４〜１６に供給される。この場合、２個の受光部Ａ、Ｂの組みと、２個の受光部Ｃ、Ｄの組みとで分けると、２分割ディテクタの構成に等しくなる。
【００１５】
ＲＦ回路１４では、４つの受光出力ＳＡ〜ＳＤの和の信号（２分割ディテクタとすると２つの受光部の出力の和信号となる）として再生高周波信号ＲＦを生成し、信号処理回路２１に供給する。信号処理回路２１は、デジタル信号を再生して、そのデジタル信号を例えばホストコンピュータに供給する。
【００１６】
また、ＲＦ回路１６では、（ＳＡ＋ＳＣ）−（ＳＢ＋ＳＤ）の演算により、フォーカスエラー信号ＦＥを生成する。このフォーカスエラー信号ＦＥは、位相補償回路１７およびドライブアンプ１９を介して、光ピックアップ１２の２次元アクチュエータのフォーカス用のアクチュエータのドライブコイルに供給され、フォーカス制御が行なわれる。
【００１７】
ＲＦ回路１５では、さらに、（ＳＡ＋ＳＢ）−（ＳＣ＋ＳＤ）の演算により、トラッキングエラー信号ＴＥを生成する。このトラッキングエラー信号ＴＥは、差動回路２６の＋側の入力端に供給される。
【００１８】
ピークホールド回路２３、ボトムホールド回路２４は、トラック移動中のＴＥ信号のピークレベルとボトムレベルをそれぞれ検出し保持するものである。平均値回路２５ではピークホールド回路２３で検出されたピークレベルとボトムホールド回路２４で検出されたボトムレベルを平均して、差動回路２６の一方の−側の入力端に供給される。
【００１９】
差動回路２６では、ＲＦ回路１５から出力されるトラッキングエラー信号ＴＥから、平均値回路２６から出力されるプッシュプル信号の中央値をオフセットとして減算し、これを位相補償回路１８および駆動回路２０を介して、光ピックアップ１２の２次元アクチュエーターのトラッキング用のアクチュエーターのドライブコイルに供給し、トラッキング制御を行う。
【特許文献１】特開２００４−５８５９号公報
【特許文献２】特開平１１−３３９２８６号公報
【発明の開示】
【発明が解決しようとする課題】
【００２０】
しかしながら、信号振幅の低いＤＶＤ−ＲＡＭによりチューニングされた光学系では、ＤＶＤ−Ｒ／ＲＷに対するプッシュプル信号のＳ／Ｎは十分とはいえない。特に反射率の低いＤＶＤ−ＲＷにおいては、プッシュプル信号振幅は非常に低く、プッシュプル信号のオフセット変動の影響を受けやすい。特に、記録領域と未記録領域の境界部においては、マークの影響を受けオフセットが変化する。特に溝深さの浅いディスクでは、トラッキングエラーのオフセットを未記録領域もしくは記録領域においてトラッキングエラー信号のアシンメトリが０になるように調整しても、境界部においてアシンメトリが３０％にも達することがあり、境界部においてトラック外れが発生することがある。
【００２１】
記録領域／未記録領域境界におけるプッシュプル信号について、図４に簡単に示した。
【００２２】
図４は、トラックをピックアップが横断したときの様子を示したものであり、２−１はＲＦ再生信号、２−２はＰＰ信号、２−３はトラックの断面を示している。通常はトラックのセンターで、ＲＦ信号になり、ＰＰ信号は０になる。（１）の未記録領域、（３）の記録済み領域のように内周側と外周側の状態に差がない場合は、ディテクターに入る光量はバランスが取れているためプッシュプル信号にオフセットは発生しない。その一方で、内周側が未記録、外周側が記録済みである領域（２）や、内周側が記録済み、外周側が未記録状態である領域（４）では、ディテクターに入る光量のバランスが崩れ、図示するようにプッシュプル信号がプッシュプル信号のセンターに対して非対称になる。なお、（Ｐ＋Ｂ）／２（Ｐ−Ｂ）で計算されるプッシュプル信号の対称性において、±２０％を超えるとトラック外れなどの症状が発生する。
【００２３】
本発明は、記録・未記録領域の境界部で発生するプッシュプル信号の非対称性の影響を軽減することを目的にしている。
【課題を解決するための手段】
【００２４】
本発明は、再生においては、データ読み取りに支障のない範囲でデフォーカスさせプッシュプル信号の対称性を確保するとともに、記録においてはプッシュプル信号の対称性のずれ方向を予測し、トラッキングエラーに対するオフセットを印加することによりトラッキング制御の安定性を確保することを最も主要な特徴とする。
【発明の効果】
【００２５】
本発明の光学的情報記録再生装置は、記録領域と未記録領域の境界部において発生するプッシュプル信号のオフセットに対して、再生時はデフォーカスさせることでプッシュプル信号の対称性を改善し、記録領域と未記録領域を含む領域のアクセスが発生しても、トラック外れによるレンズ暴走などの重大なエラーを回避することができ、記録時はオフセットの発生する方向を予測することにより、記録品位に重大な影響を与えるフォーカス位置を最適にしたままで、トラッキング制御を安定化することができるという利点がある。
【発明を実施するための最良の形態】
【００２６】
ＤＶＤマルチドライブにおいて、ＤＶＤ−ＲＷなどの浅溝、狭溝幅ディスクにおいて顕著である記録領域と未記録領域の境界で発生するトラック外れの要因になっているプッシュプル信号のオフセットを低減するという目的を、新たな部品追加をすることもなく実現した。
【００２７】
（実施の形態１）
図１は、本発明の光ディスク記録再生装置の実施の形態１のブロック図であって、１０〜２６は、図２と同様である。また、２７は直流オフセット生成回路、２８は差動回路、２９は制御回路である。
【００２８】
２７の直流オフセット生成回路では、フォーカスエラーに加えるオフセット量を決定し、２８の差動回路の−側入力に加える。制御回路２９では、直流オフセット生成回路２７の出力を再生時と記録時で切り替えて出力する。
【００２９】
次に、再生時に加えるデフォーカス量について図５を用いて説明する。
【００３０】
再生時のデフォーカスに対するプッシュプル対称性、ジッタの特性を図５に示す。上図デフォーカスとＴＥ対称性の特性を示すものであり、（１）は内周側が記録領域、外周側が未記録済み領域の場合のＴＥ対称性を示すものである。上図（２）は内周側が未記録領域、外周側が記録済み領域の場合の特性を示しており、（１）と逆の特性を示している。未記録領域中、記録領域中のトラックを再生している場合は、（３）に示すように対称性は０になる。一方、下図はデフォーカスとジッタの特性を示しており、ジッタが極小となるデフォーカス点から離れるに従ってジッタは増加している。
【００３１】
例えば溝の浅いディスクでは、ジッタ最適点でのＴＥ対称性が限界を超える場合が発生する。再生時は、ジッタ限界になるまではデフォーカスを印加することができるために、対称性限界デフォーカス量が再生限界デフォーカス量よりも小さい場合には、対称性限界デフォーカス点にデフォーカスを設定することにより、トラック外れなどの障害を発生することなくデータの再生が可能となる。
【００３２】
記録時は、デフォーカスにより記録する信号の品位を大幅に低下させる可能性があるので、録再品位に大きな影響を与えない記録時のオフトラックにより対応を図る。このときの制御の様子を図６に示す。６は未記録領域に対して、リンキング動作により追記する場合の動作を示している。区間（Ａ）は探索動作期間を示すものであり、トラックジャンプなどを繰り返しながら記録開始点の直前の位置を探索する期間を示すものである。区間（Ｂ）はトラック追従期間であり、記録を行うために位置制御や記録クロックの安定化を図る区間である。区間（Ｃ）は、ＷＴＧＴにより制御される記録動作を示す区間である。区間（Ｄ）は記録後のトラック追従動作である。区間（Ａ）、（Ｂ）、（Ｄ）については、これまで説明してきたようにデフォーカスを加えることにより、トラッキングの対称性を確保し、トラッキング動作の安定化を図る。しかしながら、記録中にも同様のデフォーカスを加えると記録品位を大きく損なうという問題が発生する。幸いにもこのように追記をするという動作の中では、内周側が未記録という状態は発生しないために録再品位を大きく劣化させないオフトラックを系に加えることでトラッキングの安定化を図ることが可能である。即ち、記録中は常に外周側が未記録になるため、図４でいう（３）の状態が常に発生すると考えることができる。このため、記録中にはオフトラックを加え、図４でいうＰ３、Ｂ３の平均値にトラッキングエラーがなるように制御することにより、記録性能を大きく損なうことはない。
【００３３】
上述のように図１の実施例の光学式情報記録再生装置は、記録領域・未記録領域の境界部で発生するプッシュプル信号のオフセットによるトラッキング動作の安定性を確保するとともに、録再品位の確保を図ることができる。
【００３４】
（実施の形態２）
図７は、本発明装置の実施の形態２のブロック図であって、１０〜２９は、図１と同様である。また、３０はＴＥ対称性検出回路である。
【００３５】
ＴＥ対称性検出回路３０においては、記録領域・未記録領域境界付近のＴＥ対称性を測定し、最適なオフセット量を検出する。
【００３６】
この手順を説明するために、図８に示した本発明の光ディスク装置の記録領域・未記録領域境界でのＴＥ対称性の検出動作時の各部波形を用いて説明する。
【００３７】
図８において、８−１）はＲＦ信号、８−２）はＲＦ信号のエンベロープを検出することによって得られるＡＳＥＮＶ信号、８−３）はＰＰ信号、８−４）はトラックジャンプ駆動信号であり正の時内周側にジャンプし、負の時外周側にジャンプするものとする。
【００３８】
境界部のＴＥ対称性を測定するために境界部の手前に着地してホールドトラックを解除する（ｔ＝τ１）。ＲＦ信号のエンベロープが所定のレベルを超えているときにＨｉｇｈレベルになるＡＳＥＮＶ信号をみながら、記録領域の終端を検索する。記録領域の終端を検出したタイミング（ｔ＝τ２）でタイマーを起動する。この地点から約半回転分の時間が経過したタイミング（ｔ＝τ３）で２トラック分ジャンプバックする。この中で、４つの極値Ｂ１，Ｐ１，Ｂ２，Ｐ２を測定し、制御回路２９に渡す。
【００３９】
制御回路２９では、ＴＥ対称性検出回路３０から受け取った４つの極値を用いて、加えるデフォーカス量を求める。フォーカスオフセット＝０におけるＴＥ対称性の最悪値を、（Ｐ１＋Ｂ１）／２（Ｐ１−Ｂ１）によって求める。ＴＥの対称性が０になるフォーカスオフセット点については、予めドライブの調整工程などで測定しておけば、この２点を利用してＴＥ対称性限界デフォーカス点を計算によって求めることができる。勿論、２つのデフォーカス点において対称性を測定してその補間によって決定してもよい。
【００４０】
外周側が未記録であると確約される場合については、記録時のトラッキングエラーに加えるオフセット量を（Ｐ１＋Ｂ１）／２に設定する。もし、外周側が未記録であるか田舎の判断ができない場合には、ピークの最小値Ｐ１、ボトムの最大値Ｂ２の平均値である（Ｐ１＋Ｂ２）／２をオフセット量とする。但し、録再性能を確保するためにリミッターが設定される。
【００４１】
この実施例では、内周に記録済み領域、外周に未記録領域である記録境界が既に用意されているものとして説明した。もし、このような領域が存在しなければ、自ら記録してそのような領域を作ればよい。
【００４２】
（実施の形態３）
実施の形態１および２では、図５に示すように録再特性を満足するデフォーカス量の範囲内にＴＥ対称性が満足することが確保できている場合について説明した。
【００４３】
しかしながら、ディスクの特性によっては上記の条件が満足できないような場合もありうる。この場合のデフォーカスとＴＥ対称性、デフォーカスとジッタの関係を図９に示した。この場合は、対称性限界デフォーカス点までフォーカスオフセットを振ることができないため、その他の手段により再生性能の確保を図る必要がある。
【００４４】
本実施の形態では、図９のような場合の対処方法について、図１０に示した光ディスク装置の一実施例の構成図を用いて説明する。
【００４５】
図１０は、本発明装置の実施の形態３のブロック図であって、１０〜３０は、図１と同様である。また、３１はジッタ検出回路である。
【００４６】
ジッタ検出回路３１においては、デフォーカスを変化させながらジッタを測定し、許容できるデフォーカス量を測定する。また、実施の形態２と同様にＴＥ対称性が確保されるデフォーカス限界点を測定する。対称性限界デフォーカス量の方が小さい場合には、デフォーカス量として対称性限界デフォーカス量に設定し、データの再生を行う。もし対象性限界デフォーカス量が大きい場合には、デフォーカス量として再生限界デフォーカス量を設定するとともにトラッキング動作安定のためにトラッキングエラー信号に対してオフセットを加えトラッキング動作の安定化を図る。
【００４７】
図１１に、内周側に記録領域があり、外周側に未記録領域がある場合にチューニングした設定でのＴＥ対称性とジッタのデフォーカス特性の一例について示した。すなわち、再生限界デフォーカス点に設定した後、ＴＥ対称性の不足分についてトラッキングエラー信号のオフセットとして加える。図１２には、内周側に未記録領域があり、外周側に記録済み領域がある場合のＴＥ対称性とジッタのデフォーカス特性について示している。
【００４８】
オフセットの印加のタイミングについて、記録領域の先頭からリードする際に発生するであろう各部波形を示した図１３を用いて説明する。図１３において、１３−１）はＲＦ信号を示し、１３−２）はトラッキングエラーに加えるオフセット量を示している。また１３−３）はそのときのＰＰ信号である。
τ１のタイミングで、目的位置が過ぎていることを検出すると、ジャンプバックして目的位置への移動を開始する。所定の位置まで戻ると、目的トラック付近にてトラック追従する（ｔ＝τ２）。記録領域の始端を検出したら（ｔ＝τ３）そこを起点に１回転はオフセットを印加し、その後（ｔ＝τ４）オフセットを徐々に０に戻す。即ち、記録始端から１回転は、内周は未記録のはずであり、ＴＥの対称性は崩れた状態であるため、オフトラックさせることでトラッキング動作の安定化を図る。１回転後は、内周側も記録済み状態になる為、オフトラックを加える必要はない。従って、印加しているオフセットを解除することで、更にトラッキングを安定させることができる。
【００４９】
このようにデフォーカスによるＴＥオフセット改善だけでは不足する場合には、ＴＥオフセットを印加することによりＴＥオフセットが大きいディスクに対しても最低限の録再が可能になる。
【００５０】
また、プッシュプル信号の対称性がどちらにずれているかを判明している場合には、オフセットを加える方向を固定することができる。
【産業上の利用可能性】
【００５１】
本発明にかかる光学式情報記録再生装置は、トラックピッチの異なるディスクを同一の光学系で記録再生をする有効であるとともに、ディスクの溝深さの面内変化などによりプッシュプル信号の対称性が確保できなくなった場合のリトライ処理としても有効な方法である。
【図面の簡単な説明】
【００５２】
【図１】本発明の実施の形態１に於ける光学式情報記録再生装置のブロック図
【図２】従来の光学式情報記録再生装置のブロック図
【図３】従来の光学ピックの一実施例を示す模式図
【図４】従来の光ディスク装置の課題の説明図（記録・未記録境界でのＰＰ信号特性）
【図５】本発明の実施の形態１に於ける光学式情報記録再生装置の動作説明図
【図６】本発明の実施の形態１に於ける光学式情報記録再生装置の未記録領域を記録する場合の動作の説明図
【図７】本発明の実施の形態２に於ける光学式情報記録再生装置のブロック図
【図８】本発明の実施の形態１に於ける光学式情報記録再生装置の記録領域・未記録領域のＴＥ対称性の測定手順を説明するためのタイミング図
【図９】本発明の実施の形態２に於ける光学式情報記録再生装置の動作説明図
【図１０】本発明の実施の形態３に於ける光学式情報記録再生装置のブロック図
【図１１】本発明の実施の形態３に於ける光学式情報記録再生装置の動作説明図
【図１２】本発明の実施の形態３に於ける光学式情報記録再生装置の動作説明図
【図１３】本発明の実施の形態３に於ける光学式情報記録再生装置の記録領域先頭部再生時の動作説明図
【符号の説明】
【００５３】
１０  光ディスク
１１  スピンドルモーター
１２  レンズ
１３  トラバースモータ
１４  ＲＦアンプ
１５  ＲＦアンプ（ＴＥ演算）
１６  ＲＦアンプ（ＦＥ演算）
１７  位相補償回路１
１８  駆動回路１
１９  位相補償回路２
２０  駆動回路２
２１  信号処理
２２  直流オフセット生成回路２
２３  ピークホールド回路
２４  ボトムホールド回路
２５  平均化回路
２６  減算器２
２７  直流オフセット生成回路１
２８  減算器１
２９  制御回路
３０  ＴＥ対称性検出回路
３１  ジッタ測定回路
【図１】
2006331521.tif 000003
【図２】
2006331521.tif 000004
【図３】
2006331521.tif 000005
【図４】
2006331521.tif 000006
【図５】
2006331521.tif 000007
【図６】
2006331521.tif 000008
【図７】
2006331521.tif 000009
【図８】
2006331521.tif 000010
【図９】
2006331521.tif 000011
【図１０】
2006331521.tif 000012
【図１１】
2006331521.tif 000013
【図１２】
2006331521.tif 000014
【図１３】
2006331521.tif 000015